(57)【要約】【課題】清潔な透析液を、ダイアライザに供給することができるようにする。【解決手段】透析液採取ユニット９は、透析液供給装置１からダイアライザ２へと供給される透析液を採取可能な透析液採取ユニット９である。透析液採取ユニット９は、透析液供給ライン３において着脱可能に配置される。透析液採取ユニット９は、透析液が通過する液通過部１９０と、液通過部１９０に設けられ透析液を採取するための液採取部２９０と、を有している。【選択図】図３
2010207452.tif 000002
【特許請求の範囲】
【請求項１】
透析液供給装置からダイアライザへと供給される透析液を採取可能な透析液採取ユニットであって、
前記透析液供給装置と前記ダイアライザとを結ぶ透析液供給ラインに着脱可能に配置され、前記透析液が通過する液通過部と、
前記液通過部に設けられ前記透析液を採取するための液採取部と、
を備える透析液採取ユニット。
【請求項２】
筒状の前記液通過部の第１端部が雄型コネクタに、筒状の前記液通過部の第２端部は雌型コネクタになっており、
前記第１端部がカプラに着脱可能に装着され、前記第２端部が前記ダイアライザの透析液導入ポートに着脱可能に装着される、
請求項１に記載の透析液採取ユニット。
【請求項３】
前記液通過部の外周面には、前記液通過部を通過する前記透析液を抽出するための抽出ポートが設けられ、
前記液採取部は、前記液通過部の前記抽出ポートに着脱可能に装着される、
請求項１又は２に記載の透析液採取ユニット。
【請求項４】
前記液通過部の前記抽出ポートは、前記液採取部を着脱可能な着脱手段を、有している、
請求項３に記載の透析液採取ユニット。
【請求項５】
透析液供給装置からダイアライザへと供給される透析液を採取するための透析液採取方法であって、
前記透析液供給装置と前記ダイアライザとを結ぶ透析液供給ラインを介して、前記透析液を透析液供給装置からダイアライザへと供給する透析液供給ステップと、
前記透析液供給ラインに着脱可能に配置される透析液採取ユニットから、前記透析液を採取する透析液採取ステップと、
と備える透析液採取方法。
【請求項６】
前記透析液採取ステップでは、前記ダイアライザの透析液導入ポートに装着された前記透析液採取ユニットから、前記透析液を採取する、
請求項５に記載の透析液採取方法。
【請求項７】
前記透析液採取ステップでは、前記透析液供給ラインに配置されたカプラおよび前記ダイアライザの透析液導入ポートを連結する前記透析液採取ユニットから、前記透析液を採取する、
請求項６に記載の透析液採取方法。
【請求項８】
前記透析液採取ステップでは、前記透析液採取ユニットに設けられた液採取部に、抽出手段を装着することにより、前記透析液を採取する、
請求項５から７のいずれかに記載の透析液採取方法。
【発明の詳細な説明】
【技術分野】
【０００１】
本発明は、透析液採取ユニット、特に、透析液供給装置からダイアライザへと供給される透析液を採取可能な透析液採取ユニットに関する。
【背景技術】
【０００２】
従来の人工透析システムでは、透析液供給装置とダイアライザとを連結する透析液供給ラインを介して、透析液が、透析液供給装置からダイアライザへと供給される。また、透析患者の血液は、患者とダイアライザとを連結する血液ラインを介して、患者からダイアライザへと供給される。すると、ダイアライザに充填されている中空糸膜を用いた拡散の原理によって、ダイアライザにおいて患者の血液から老廃物が取り除かれる。また、老廃物を除去した透析液（老廃物を含む透析液）は、ダイアライザと透析液供給装置とを連結する透析液排出ラインを介して、ダイアライザから透析液供給装置へと送り返される（例えば、特許文献１を参照）。
【先行技術文献】
【特許文献】
【０００３】
【特許文献１】特開２００８−４３５５５号公報
【発明の概要】
【発明が解決しようとする課題】
【０００４】
従来の人工透析システムでは、透析液が、透析液供給ラインを通じて、透析液供給装置からダイアライザへと供給される。透析液供給ラインには、カプラが装着されており、このカプラをダイアライザに装着することによって、透析液供給装置とダイアライザとが連結される。
【０００５】
一般的に、人工透析においては、透析液供給ラインはコスト面を考慮して再利用し続けることが多い。このため、透析液供給ラインでは、再利用中に、エンドトキシン等が生成されるおそれがある。特に、透析液供給ラインでは、供給チューブをダイアライザに連結するためのカプラには、構造上、エンドトキシン等が不着しやすい。このため、カプラを通過する前の透析液が清潔であったとしても、カプラを通過した後の透析液にエンドトキシン等が混入してしまうおそれがある。また、カプラがダイアライザに装着される位置は、ダイアライザに透析液が流入する直前の位置であるため、ダイアライザに流入する透析液が衛生的であるか否かを、判断することが難しいという問題があった。
【０００６】
本発明は、このような問題に鑑みてなされたものであり、本発明の目的は、透析液を採取することができるようにし、且つ清潔な透析液をダイアライザに供給することができるようにすることにある。
【課題を解決するための手段】
【０００７】
請求項１に係る透析液採取ユニットは、透析液供給装置からダイアライザへと供給される透析液を採取可能な透析液採取ユニットである。透析液採取ユニットは、透析液供給装置とダイアライザとを結ぶ透析液供給ラインに着脱可能に配置される。この透析液採取ユニットは、透析液が通過する液通過部と、液通過部に設けられ透析液を採取するための液採取部とを、有している。
【０００８】
ここでは、透析液採取ユニットを透析液供給ラインに配置することによって、液通過部を透析液が通過するときに、この透析液を液採取部から採取することができる。これにより、透析液供給装置からダイアライザへと供給される透析液が、衛生的であるか否かを、検査することができる。そして、この透析液の衛生状態が低下しそうな場合、例えばこの透析液採取ユニットを新しいものに取り替えたりすることによって、より清潔な透析液を、ダイアライザに供給することができる。
【０００９】
請求項２に係る透析液採取ユニットでは、請求項１に記載の透析液採取ユニットにおいて、筒状の液通過部の第１端部が雄型コネクタに、筒状の液通過部の第２端部は雌型コネクタになっている。液通過部の第１端部は、カプラに着脱可能に装着される。また、液通過部の第２端部は、ダイアライザの透析液導入ポートに着脱可能に装着される。
【００１０】
この場合、透析液採取ユニットが、カプラとダイアライザの透析液導入ポートとの間に配置される。このため、透析液採取ユニットの液通過部の衛生状態が低下しそうな場合、透析液採取ユニットを透析液供給ラインから容易に取り外すことができる。そして、透析液採取ユニットを透析液供給ラインから取り外してしまえば、透析液採取ユニットの内部やカプラの内部を容易に洗浄したり、透析液採取ユニットを新しいものに容易に取り替えたりすることができる。これにより、清潔な透析液を、ダイアライザに供給することができる。
【００１１】
また、透析液採取ユニットにおける液通過部の第１端部は、雄型コネクタになっているので、液通過部の第１端部はカプラの内側に装着される。これにより、カプラの内壁は、生成毒素が発生しにくくなる。
【００１２】
請求項３に係る透析液採取ユニットでは、請求項１又は２に記載の透析液採取ユニットにおいて、液通過部の外周面には、液通過部を通過する透析液を抽出するための抽出ポートが設けられている。そして、液採取部が、この液通過部の抽出ポートに着脱可能に装着される。
【００１３】
この場合、液採取部を液通過部の抽出ポートに装着したり、液採取部を液通過部の抽出ポートから取り外したりすることができる。このため、透析液を採取するときに液採取部を液通過部に装着し、透析液を採取した後に液採取部を液通過部から取り外すことができる。これにより、液採取部に残留した透析液が、液通過部を通過する透析液に、混入しないようにすることができる。これにより、清潔な透析液を、ダイアライザに供給することができる。
【００１４】
請求項４に係る透析液採取ユニットでは、請求項３に記載の透析液採取ユニットにおいて、液通過部の抽出ポートが、液採取部を着脱可能な着脱手段を、有している。
【００１５】
この場合、液通過部の抽出ポートが、着脱手段を有しているので、液採取部を液通過部の抽出ポートに容易に装着したり、液採取部を液通過部の抽出ポートから容易に取り外したりすることができる。これにより、液採取部に残留した透析液が、液通過部を通過する透析液に、混入しないようにすることができる。これにより、清潔な透析液を、ダイアライザに供給することができる。
【００１６】
また、着脱手段が、透析液の逆流を防止する機能を有している場合、たとえば、着脱手段に逆流防止弁が含まれている場合、液採取部に残留した透析液や、液採取部を通過中の透析液等が、液通過部に逆流しないように、逆流防止弁により規制することができる。これにより、清潔な透析液を、ダイアライザに確実に供給することができる。
【００１７】
請求項５に係る透析液採取方法は、透析液供給装置からダイアライザへと供給される透析液を採取するための透析液採取方法である。透析液採取方法は、透析液供給ステップと、透析液採取ステップとを備えている。透析液供給ステップは、透析液供給装置とダイアライザとを結ぶ透析液供給ラインを介して、透析液を透析液供給装置からダイアライザへと供給する。透析液採取ステップは、透析液供給ラインに着脱可能に配置される透析液採取ユニットから、透析液を採取する。
【００１８】
この場合、透析液供給ラインに着脱可能に配置される透析液採取ユニットから、透析液供給ラインを通過する透析液を、採取することができるので、透析液供給装置からダイアライザへと供給される透析液が、衛生的であるか否かを、検査することができる。これにより、透析液の衛生状態を確保することができ、清潔な透析液を、ダイアライザに供給することができる。
【００１９】
請求項６に係る透析液採取方法では、請求項５に記載の透析液採取方法において、ダイアライザの透析液導入ポートに装着された透析液採取ユニットから、透析液が採取される。このステップは、透析液採取ステップにおいて実現される。
【００２０】
この場合、ダイアライザの透析液導入ポートに装着された透析液採取ユニットから、透析液を採取することにより、透析液がダイアライザに流入する直前において、透析液供給装置からダイアライザへと供給される透析液が、衛生的か否かを、検査することができる。
【００２１】
請求項７に係る透析液採取方法では、請求項６に記載の透析液採取方法において、透析液供給ラインに配置されたカプラおよびダイアライザの透析液導入ポートを連結する透析液採取ユニットから、透析液が採取される。このステップは、透析液採取ステップにおいて実現される。
【００２２】
この場合、透析液採取ユニットを、透析液供給ラインに配置されたカプラと、ダイアライザの透析液導入ポートとに容易に装着することができるので、透析液がダイアライザに流入する直前において、透析液供給装置からダイアライザへと供給される透析液が、衛生的か否かを、容易に検査することができる。
【００２３】
請求項８に係る透析液採取方法では、請求項５から７のいずれかに記載の透析液採取方法において、透析液採取ユニットに設けられた液採取部に、抽出手段を装着することにより、透析液が採取される。このステップは、透析液採取ステップにおいて実現される。
【００２４】
この場合、抽出手段、たとえばシリンジや吸引装置を用いることにより、透析液を透析液採取ユニットから確実に採取することができる。すなわち、検査に必要な透析液を、透析液採取ユニットから確実に採取することができる。
【発明の効果】
【００２５】
本発明に係る透析液採取ユニットでは、透析液採取ユニットを透析液供給ラインに配置することによって、液通過部を透析液が通過するときに、この透析液を液採取部から採取することができる。これにより、透析液供給装置からダイアライザへと供給される透析液が、衛生的であるか否かを、検査することができる。そして、本発明に係る透析液採取ユニットでは、この透析液採取ユニットを新しいものに取り替えたりすることによって、清潔な透析液を、ダイアライザに供給することができる。
【図面の簡単な説明】
【００２６】
【図１】本発明の一実施形態による透析装置の概略図。
【図２】ダイアライザと透析液採取ユニットとを示す図。
【図３】透析液採取ユニットを示す図。
【図４】カプラを示す図。
【図５】透析液導入ポートを示す図。
【図６】他の実施形態によるエンドトキシンフィルタと透析液採取ユニットとを示す図。
【図７】他の実施形態による透析液採取ユニットを示す図。
【図８】他の実施形態によるダイアライザを示す図。
【発明を実施するための形態】
【００２７】
透析装置は、例えば図１に示すように、透析液供給装置１と、ダイアライザ２と、ダイアライザ２へ透析液を供給する透析液供給ライン３、および透析液をダイアライザ２から回収する透析液回収ライン４からなる透析液回路５と、透析患者１００から血液をダイアライザ２に導く動脈側体外循環ライン６、およびダイアライザ２から透析患者１００に透析後の血液をもどす静脈側体外循環ライン７からなる体外循環回路８と、透析液供給装置１からダイアライザ２へと供給される透析液を採取可能な透析液採取ユニット９とを、備えている。
【００２８】
透析液供給装置１は、図示しない、例えば、血中水分量測定手段、透析液の温度の監視及び調整を行う温度センサーを含む温度設定機構、ダイアライザ２に流入させる透析液の流量の制御手段、ダイアライザ２内の血液と透析液との間に圧力差を生じさせて、血液内の水分を透析液側に移行させる除水機構（ビスカスチャンバー方式、除水ポンプを利用したもの等）、体外循環血液回路内に血液を流すための血液ポンプ、および除水機構及び血液ポンプ等を制御するための制御手段を、備えている。
【００２９】
ダイアライザ２は、例えば図２に示すように、ハウジング２０と、血液導入ポート２１と、血液排出ポート２２と、透析液導入ポート２３と、透析液排出ポート２４と、血液濾過フィルタ２５と、を備えている。
【００３０】
ハウジング２０は、一般的に中空円柱状に形成されている。血液導入ポート２１は、血液を動脈側体外循環ライン６からハウジング２０の内部へと導くためのものである。この血液導入ポート２１は、一般的にハウジング２０の一端に一体に形成されている。血液排出ポート２２は、血液をハウジング２０の内部から静脈側体外循環ライン７へと排出するためのものである。この血液排出ポート２２は、一般的にハウジング２０の他端に一体に形成されている。透析液導入ポート２３は、透析液を透析液供給ライン３からハウジング２０の内部へと導くためのものである。この透析液導入ポート２３は、一般的にハウジング２０の他端側の外周面に一体に形成されている。透析液排出ポート２４は、透析液をハウジング２０の内部から透析液回収ライン４へと排出するためのものである。この透析液排出ポート２４は、一般的にハウジング２０の一端側の外周面に一体に形成されている。
【００３１】
血液濾過フィルタ２５は、血液から老廃物を取り除くためのものであり、ハウジング２０の内部に配置されている。血液濾過フィルタ２５は、一般的に複数の中空糸から、構成されている。中空糸は管状に形成されており、この中空糸の管壁には複数のポア（小さな孔）が設けられている。このような血液濾過フィルタ２５では、血液が中空糸の管内を通過するときに、拡散効果によって、血液に含まれる老廃物が、中空糸のポアを通って、中空糸の管内から、透析液が流れる中空糸の管外へと移動する。このようにして、血液の老廃物が、濾過される。
【００３２】
透析液採取ユニット９は、透析液供給装置１からダイアライザ２へと供給される透析液を採取するためのものである。透析液採取ユニット９は、図１に示したように、透析液供給装置１とダイアライザ２との間に配置される。具体的には、透析液採取ユニット９は、透析液供給装置１とダイアライザ２との間を結ぶ透析液供給ライン３上に、配置される。
【００３３】
透析液採取ユニット９は、透析液回収ライン４に着脱可能に配置される。透析液採取ユニット９は、図３に示すように、透析液が通過する液通過部１９０と、液通過部１９０に設けられ透析液を採取するための液採取部２９０とを有している。
【００３４】
液通過部１９０は、筒状に形成されている。液通過部１９０の第１端部１９０ａは、カプラ９１に着脱可能に装着され、液通過部１９０の第２端部１９０ｂは、透析液導入ポート２３に着脱可能に装着される。
【００３５】
具体的には、液通過部１９０の第１端部１９０ａは、雄型コネクタになっている。液通過部１９０の第１端部１９０ａの外周面には、少なくとも１つの環状溝が形成されている。ここでは、１つの環状溝１９０ｃが、液通過部１９０の第１端部１９０ａの外周面に形成されている。また、液通過部１９０の第１端部１９０ａの先端部には、液通過部本体より小径の筒状の突出部１９０ｆが、形成されている。
【００３６】
また、液通過部１９０の第２端部１９０ｂは、雌型コネクタになっている。さらに、液通過部１９０の外周面には、液通過部１９０を通過する透析液を抽出するための抽出ポート１９０ｄが、設けられている。抽出ポート１９０ｄには、液採取部２９０を液通過部１９０に着脱可能な着脱手段、たとえばディスク弁１９０ｅが、装着されている。ディスク弁１９０ｅは、液採取部２９０を液通過部１９０に着脱可能な手段、液通過部１９０を通過する透析液の漏れを規制する手段、および液採取部２９０を通過する透析液の逆流を規制する手段である。
【００３７】
液採取部２９０は、ポート装着部２９０ａと液抽出ライン２９０ｂとを、有している。ポート装着部２９０ａには、ディスク弁１９０ｅを開放可能なディスク開放部材２９０ｃが、設けられている。ディスク開放部材２９０ｃは、管状に形成されており、内部を透析液が通過可能になっている。また、液抽出ライン２９０ｂは、管状に形成されており、内部を透析液が通過可能になっている。液抽出ライン２９０ｂには、透析液を抽出するための抽出手段、たとえば透析液を吸引するためのシリンジや吸引装置等（図示しない）が、装着可能になっている。液抽出ライン２９０ｂにおいてシリンジが装着される部分２９０ｄ（シリンジ装着部）は、たとえば、ルアーロック式のコネクタになっていることが望ましい。
【００３８】
カプラ９１は、透析液供給装置１とダイアライザ２とを結ぶ透析液供給ライン３に、透析液採取ユニット９を配置するためのものである。カプラ９１は、図４に示すように、一般的に筒状に形成されている。カプラ９１の一端９１ａは、ダイアライザ２へ透析液を搬送するためのチューブに、装着される。また、カプラ９１の他端９１ｂは、通常雌型コネクタになっている。このカプラ９１の他端９１ｂ側の内周面には、環状溝１９０ｃに係合可能な第１突起部９１ｃ、および突出部１９０ｆに係合可能な第２突起部９１ｆが、形成されている。具体的には、第１突起部９１ｃは、カプラ９１の他端９１ｂ側の内周面に、環状に形成されている。また、第２突起部９１ｆは、カプラ９１の略中央部の内周面に、環状に形成されている。なお、ここでは、第１突起部９１ｃおよび第２突起部９１ｆが、環状に形成される場合の例を示すが、複数の第１突起部９１ｃおよび複数の第２突起部９１ｆが、間隔を隔てて環状に形成されるようにしても良い。
【００３９】
透析液導入ポート２３は、例えば図５に示すように、ダイアライザ２のハウジング２０の外周面から外方に突出して、ダイアライザ２のハウジング２０に一体に形成されている。この透析液導入ポート２３は、筒状に形成されている。この透析液導入ポート２３の基端部２３ｂは、ダイアライザ２のハウジング２０に一体に形成されており、透析液導入ポート２３の端部２３ａは、雄型コネクタになっている。
【００４０】
上記のような透析装置では、透析液採取ユニット９を、透析液供給ライン３に配置することにより、透析液が採取される。
【００４１】
本実施形態では、まず、カプラ９１の一端９１ａが、透析液供給ライン３を構成するチューブに装着される。次に、透析液採取ユニット９を透析液供給ライン３に配置するために、液通過部１９０の第１端部１９０ａが、カプラ９１の他端９１ｂに嵌合される。たとえば、液通過部１９０の外周面の環状溝１９０ｃおよび液通過部１９０の先端部の突出部１９０ｆを、カプラ９１の内周面の第１突起部９１ｃおよび第２突起部９１ｆに嵌合することにより、液通過部１９０の第１端部１９０ａが、カプラ９１の他端９１ｂ側の内部に嵌合され弾性係止される。これにより、カプラ９１に対する透析液採取ユニット９の脱着方向の移動を、規制することができる。続いて、液通過部１９０の第２端部１９０ｂが、透析液導入ポート２３の端部２３ａ側の内部に嵌合される。このように、透析液採取ユニット９の液通過部１９０を、透析液供給ライン３に配置することにより、透析液を透析液供給装置１からダイアライザ２へと供給することができる。
【００４２】
続いて、透析液採取ユニット９において、液採取部２９０のポート装着部２９０ａを、液通過部１９０の抽出ポート１９０ｄに装着することにより、液抽出ライン２９０ｂが液通過部１９０の外周面から外方に突出した状態で、液採取部２９０が、液通過部１９０に装着される。
【００４３】
具体的には、液採取部２９０のポート装着部２９０ａの内壁には、雌ネジが設けられており、液通過部１９０の抽出ポート１９０ｄの外壁には、雄ネジが設けられている。このため、液採取部２９０のポート装着部２９０ａを、液通過部１９０の抽出ポート１９０ｄにねじ込むことにより、液採取部２９０が、液通過部１９０に装着される。
【００４４】
ここで、液採取部２９０が液通過部１９０に装着されるときには、液採取部２９０のポート装着部２９０ａに設けられた管状のディスク開放部材２９０ｃが、ディスク弁１９０ｅを押圧し、ディスク弁１９０ｅが開放する。すると、液通過部１９０、ディスク開放部材２９０ｃ、および液抽出ライン２９０ｂが、互いに連通する。すると、透析液が液通過部１９０を通過しているときには、この透析液が、液通過部１９０から、ディスク開放部材２９０ｃの内部および液抽出ライン２９０ｂの内部へと流入する。そして、シリンジ装着部２９０ｄにシリンジが装着され、このシリンジを用いて透析液が吸引され採取される。
【００４５】
なお、液採取部２９０が液通過部１９０に装着された状態において、液採取部２９０が液通過部１９０から取り外されると、ディスク開放部材２９０ｃがディスク弁１９０ｅから抜け、ディスク弁１９０ｅが閉じる。これにより、液採取部２９０からの液漏れを防止することができる。
【００４６】
上記のように、透析液採取ユニット９が、カプラ９１および透析液導入ポート２３に装着されると、透析液供給装置１からダイアライザ２へと透析液を供給しているときに、透析液採取ユニット９の液通過部１９０を通過する透析液を、透析液採取ユニット９０の液採取部２９０から採取することができる。これにより、透析液が衛生的か否かを、検査することができる。そして、透析液が衛生的である場合、透析液採取ユニット９の内部を洗浄したり、この透析液採取ユニット９０を新しいものに取り替えたりすることによって、清潔な透析液を、ダイアライザに供給することができる。また、この場合、透析液採取ユニット９０の近傍の部材、たとえば、カプラ９１および透析液導入ポート２３等を、同時に洗浄することにより、清潔な透析液を、ダイアライザに供給することができる。
【００４７】
なお、上記のような透析装置では、透析液供給装置１から供給される透析液と、血液とを、ダイアライザ２において、互いに接触させて、血液中の物質等の移動及び／又は交換が行われる。この工程は、通常、「透析」と呼ばれる。この場合に使用することができる透析液には、通常、透析の工程で用いられているもの、たとえば、酢酸系透析液および重炭酸系透析液等が用いられる。
【００４８】
〔他の実施形態〕
（ａ）前記実施形態では、透析液採取ユニット９が、ダイアライザ２に装着される場合の例を示したが、図６に示すように、透析液採取ユニット９は、透析液から不純物を除去するためのフィルタ、たとえば透析液からエンドトキシンを除去するためのエンドトキシンフィルタ３０に、装着されるようにしても良い。図６に示した、エンドトキシンフィルタ３０は、透析液供給装置１とダイアライザ２との間に配置される。そして、透析液採取ユニット９は、エンドトキシンフィルタ３０とカプラ９１とに装着され、エンドトキシンフィルタ３０とカプラ９１とを連結する。また、カプラ９１は、透析液採取ユニット９と、ダイアライザ２へと透析液を搬送するためのチューブ（図示しない）とに、装着され、透析液採取ユニット９とチューブとを連結する。このように、透析液採取ユニット９がエンドトキシンフィルタ３０に装着された場合も、前記実施形態と同じ効果を得ることができる。なお、図６において前記実施形態に対応する部材については、前記実施形態と同じ番号を付している。
（ｂ）前記実施形態（他の前記実施形態を含む）では、透析液採取ユニット９において、液採取部２９０が、液通過部１９０の抽出ポート１９０ｄに着脱可能である場合の例を示したが、図７に示すように、液採取部２９０は、液通過部１９０に一体に形成されるようにしても良い。この場合、液採取部２９０は、液通過部１９０の外周面から外方に突出して一体に形成される。このように、液採取部２９０が、液通過部１９０の外周面から外方に突出して一体に形成された場合も、前記実施形態と同じ効果を得ることができる。なお、図７において前記実施形態と同じ部材については、前記実施形態と同じ番号を付している。
（ｃ）前記実施形態では、透析液がダイアライザ２に流入する直前において、透析液が、透析液採取ユニット９によって、採取され検査される。前記実施形態に類似する形態として、図８に示すように、透析液がダイアライザ２に流入した直後において、透析液を採取できるようにしても良い。この場合の一例として、図８（ａ）に示すように、ダイアライザ２の透析液導入ポート２３に、透析液を採取するための透析液採取部すなわち透析液採取ポート４０を一体に形成するようにしても良い。この場合、透析液が透析液導入ポート２３に流入した直後に、透析液を採取し検査することができるので、清潔な透析液を、ダイアライザに確実に供給することができる。
【００４９】
参考例として、図８（ｂ）に示すように、ダイアライザ２の透析液導入ポート２３の近傍において、透析液採取ポート４０をハウジング２０に一体に形成した場合、透析液がダイアライザ２に流入した直後に透析液を採取し検査することができるので、清潔な透析液を、ダイアライザに確実に供給することができる。
【００５０】
なお、図８において前記実施形態と同じ部材については、前記実施形態と同じ番号を付している。
【産業上の利用可能性】
【００５１】
本発明は、透析を受ける透析患者に対する透析装置において利用することができる。例えば、オンラインＨＤＦ使用時の補液に対しても有効に利用できる。
【符号の説明】
【００５２】
１  透析液供給装置
２  ダイアライザ
３  透析液供給ライン
９  透析液採取ユニット
２３  透析液導入ポート
９１  カプラ
１９０  液通過部
１９０ｃ  環状溝
２９０  液採取部
【図１】
2010207452.tif 000003
【図２】
2010207452.tif 000004
【図３】
2010207452.tif 000005
【図４】
2010207452.tif 000006
【図５】
2010207452.tif 000007
【図６】
2010207452.tif 000008
【図７】
2010207452.tif 000009
【図８】
2010207452.tif 000010